(57)【要約】【課題】壁材の移動の自由度が高く、かつ、壁材の取り付け及び取り外しを簡単に行うことができる浴室ユニット及び浴室ユニットの施工方法を提供すること。【解決手段】本発明に係る浴室ユニット１は、床材１１と、床材１１の外周における上面側に立設される複数のフレーム部材１２１を有するフレーム体１２と、フレーム体１２に取り付けられる天井材１３と、床材１１と天井材１３との間においてフレーム体１２の内側に取り付けられ、フレーム体１２に対して着脱可能な内壁材１６と、を備え、内壁材１６の上端部は、天井材１３から離間して配置される。【選択図】図２
2016089519.tif 000002
【特許請求の範囲】
【請求項１】
床材と、
前記床材の外周における上面側に立設される複数のフレーム部材を有するフレーム体と、
前記フレーム体に取り付けられる天井材と、
前記床材と前記天井材との間において前記フレーム体の内側に取り付けられ、前記フレーム体に対して着脱可能な内壁材と、を備え、
前記内壁材の上端部は、前記天井材から離間して配置される浴室ユニット。
【請求項２】
前記内壁材と前記天井材との間を埋めるように配置される内壁材隙間埋め部材を備える請求項１に記載の浴室ユニット。
【請求項３】
前記内壁材は、その背面側に、前記フレーム体に吊り下げられる内壁材吊り下げ部材を有する請求項１又は２に記載の浴室ユニット。
【請求項４】
前記内壁材吊り下げ部材は、前記内壁材の上端部に設けられる請求項３に記載の浴室ユニット。
【請求項５】
前記フレーム体の外側に取り付けられ、前記フレーム体に対して着脱可能な外壁材を備える請求項１〜４のいずれかに記載の浴室ユニット。
【請求項６】
前記内壁材の下端部が前記フレーム部材に近づく方向及び前記フレーム部材から離れる方向へ移動することを規制する内壁材規制部を備える請求項１〜５のいずれかに記載の浴室ユニット。
【請求項７】
床材と、
前記床材の外周における上面側に立設される複数のフレーム部材を有するフレーム体と、
前記フレーム体に取り付けられる天井材と、
前記床材と前記天井材との間において前記フレーム体の内側に取り付けられ、前記フレーム体に対して着脱可能な内壁材と、を備える浴室ユニットの施工方法であって、
前記天井材と前記内壁材との間に所定の隙間が形成されるように、前記フレーム体に前記内壁材を取り付ける工程と、
前記内壁材と前記天井材との間に、前記内壁材と前記天井材との間を埋めるように内壁材隙間埋め部材を取り付ける工程と、を含む浴室ユニットの施工方法。
【発明の詳細な説明】
【技術分野】
【０００１】
本発明は、浴室ユニット及び浴室ユニットの施工方法に関する。
【背景技術】
【０００２】
従来、壁材と、壁材の上面に隙間がない状態で配置される天井材と、を備える浴室ユニットが知られている（例えば、特許文献１参照）。
また、上下方向に延びる一対のポストに跨って取り付けられる壁材を備える浴室ユニットも知られている。
【先行技術文献】
【特許文献】
【０００３】
【特許文献１】実公平１−１１８８３号公報
【発明の概要】
【発明が解決しようとする課題】
【０００４】
特許文献１に記載の浴室ユニットにおいては、壁材の上面に天井材が隙間なく配置されているため、天井材を外した後でないと、壁材の取り付け及び取り外しの作業が難しい。また、上下方向に延びる一対のポストに跨って取り付けられる壁材を有する浴室ユニットにおいては、上下方向に延びるポストに取り付けられるため、横方向への移動に関して融通が利かないことがある。そのため、簡単に壁材の取り付け及び取り外しができ、壁材の移動の自由度が高い浴室ユニットが望まれている。
【０００５】
本発明は、壁材の移動の自由度が高く、かつ、壁材の取り付け及び取り外しを簡単に行うことができる浴室ユニット及び浴室ユニットの施工方法を提供することを目的とする。
【課題を解決するための手段】
【０００６】
本発明は、床材と、前記床材の外周における上面側に立設される複数のフレーム部材を有するフレーム体と、前記フレーム体に取り付けられる天井材と、前記床材と前記天井材との間において前記フレーム体の内側に取り付けられ、前記フレーム体に対して着脱可能な内壁材と、を備え、前記内壁材の上端部は、前記天井材から離間して配置される浴室ユニットに関する。
【０００７】
また、前記内壁材と前記天井材との間を埋めるように配置される内壁材隙間埋め部材を備えることが好ましい。
【０００８】
また、前記内壁材は、その背面側に、前記フレーム体に吊り下げられる内壁材吊り下げ部材を有することが好ましい。
【０００９】
また、前記内壁材吊り下げ部材は、前記内壁材の上端部に設けられることが好ましい。
【００１０】
また、前記フレーム体の外側に取り付けられ、前記フレーム体に対して着脱可能な外壁材を備えることが好ましい。
【００１１】
また、前記内壁材の下端部が前記フレーム部材に近づく方向及び前記フレーム部材から離れる方向へ移動することを規制する内壁材規制部を備えることが好ましい。
【００１２】
また、本発明は、床材と、前記床材の外周における上面側に立設される複数のフレーム部材を有するフレーム体と、前記フレーム体に取り付けられる天井材と、前記床材と前記天井材との間において前記フレーム体の内側に取り付けられ、前記フレーム体に対して着脱可能な内壁材と、を備える浴室ユニットの施工方法であって、前記天井材と前記内壁材との間に所定の隙間が形成されるように、前記フレーム体に前記内壁材を取り付ける工程と、前記内壁材と前記天井材との間に、前記内壁材と前記天井材との間を埋めるように内壁材隙間埋め部材を取り付ける工程と、を含む浴室ユニットの施工方法に関する。
【発明の効果】
【００１３】
本発明によれば、壁材の移動の自由度が高く、かつ、壁材の取り付け及び取り外しを簡単に行うことができる浴室ユニット及び浴室ユニットの施工方法を提供することができる。
【図面の簡単な説明】
【００１４】
【図１】本発明の第１実施形態に係る浴室ユニット１を示す側面図である。
【図２】本発明の第１実施形態に係る浴室ユニット１において、内壁材１６及び外壁材１８を取り外した状態を示す側面図である。
【図３】第１実施形態に係る浴室ユニット１において、内壁材１６を取り付ける方法を説明する図である。
【図４】第１実施形態に係る浴室ユニット１において、内壁材１６を取り付ける方法を説明する図である。
【図５】第１実施形態に係る浴室ユニット１において、外壁材１８を取り付ける方法を説明する図である。
【図６】第１実施形態に係る浴室ユニット１において、内壁材１６を取り外す方法を説明する図である。
【図７】第１実施形態に係る浴室ユニット１において、外壁材１８を取り外す方法を説明する図である。
【図８】本発明の第２実施形態に係る浴室ユニット１Ａを示す側面図である。
【図９】本発明の第３実施形態に係る浴室ユニット１Ｂを示す側面図である。
【図１０】本発明の第４実施形態に係る浴室ユニット１Ｃを示す側面図である。
【発明を実施するための形態】
【００１５】
以下、本発明の浴室ユニットの好ましい各実施形態について、図面を参照しながら説明する。図１は、本発明の第１実施形態に係る浴室ユニット１を示す側面図である。図２は、本発明の第１実施形態に係る浴室ユニット１において、内壁材１６及び外壁材１８を取り外した状態を示す側面図である。
【００１６】
浴室ユニット１の主に壁の構成について説明する。なお、浴室ユニット１に用いられる浴槽等の他の構成については、一般的な構成と同様であるため、説明を省略している。
図１及び図２に示すように、第１実施形態の浴室ユニット１は、床材１１と、床材１１の上面に配置されるフレーム体１２と、フレーム体１２の上部に取り付けられる天井材１３と、フレーム体１２の内側に取り付けられる内壁材１６と、内壁材隙間埋め部材としての内壁材側モール１７と、フレーム体１２の外側に取り付けられる外壁材１８と、外壁材隙間埋め部材としての外壁材側モール１９と、を備える。なお、フレーム体１２の内側とは、フレーム体１２における床材１１とフレーム体１２とで囲まれた空間側を意味する。
【００１７】
床材１１は、所定の厚さを有した方形板状に形成される。床材１１は、水平方向に広がるように配置される。床材１１は、設置場所において、コンクリートスラブ２１から所定距離離間して配置される。床材１１の下面には、底上げ部材２０が取り付けられている。床材１１は、底上げ部材２９により、設置場所のコンクリートスラブ２１から底上げされている。
【００１８】
フレーム体１２は、外形が全体として直方体形状の枠体で構成される。フレーム体１２は、床材１１の外周における上面側に床材１１の各角部それぞれから立設される全部で４本の縦フレーム（フレーム部材）１２１と、４本の縦フレーム１２１における隣り合うフレーム同士を縦フレーム１２１の上端部において繋ぐように配置された４本の横フレーム１２２と、複数のバー部材１５と、を有する。
縦フレーム１２１及び横フレーム１２２は、断面が方形の管状に構成される。床材１１と４本の縦フレーム１２１とは、接続部材（不図示）を介して接続され又は溶接により接続される。４本の縦フレーム及び４本の横フレームは、接続部材（不図示）を介して接続される又は溶接により接続される。
【００１９】
複数のバー部材１５は、隣り合う縦フレーム１２１を繋ぐように、天井材１３と床材１１との間において、水平方向に延びる。複数のバー部材１５は、断面が方形の管状に構成される。バー部材１５の両端部は、隣り合う縦フレーム１２１に接続されている。バー部材１５は、上下方向に間隔をあけて、複数配置されている。バー部材１５には、後述する内壁材１６の内壁材フック部材（内壁材吊り下げ部材）１６３及び外壁材１８の外壁材フック部材（外壁材吊り下げ部材）１８３を吊り下げるための取付孔１５１が水平方向に貫通している。取付孔１５１は、フレーム体１２の内側に開口する内壁材側取付孔１５１ａと、フレーム体１２の外側に開口する外壁材側取付孔１５１ｂと、からなる。
【００２０】
天井材１３は、浴室ユニット１の天井を構成する。天井材１３は、所定の厚さを有した方形板状に形成される。天井材１３は、水平方向に広がるように配置される。天井材１３は、接続板材１４２及びネジ部材１４１により、４本の縦フレーム１２１の内側の側面に取り付けられる。床材１１と天井材１３と４本の縦フレーム１２１で囲まれた空間は、浴室ユニット１の浴室１０を構成する。
【００２１】
内壁材１６は、床材１１と天井材１３との間において、フレーム体１２の内側に取り付けられる。内壁材１６は、板状に形成され、上下方向に延びる。内壁材１６の上端部は、天井材１３の下方側において、天井材１３から離間して配置される。内壁材１６は、浴室ユニット１の内壁を構成する。内壁材１６は、バー部材１５に着脱可能に取り付けられることにより、フレーム体１２に対して着脱可能である。
【００２２】
内壁材１６は、内壁材１６の表面を構成するタイル材１６１と、タイル材１６１が貼り付けられる裏打ち材１６２と、を有する。また、内壁材１６は、フック状の複数の内壁材フック部材１６３を有する。最も上方の内壁材フック部材１６３は、内壁材１６の上端部に設けられる。内壁材フック部材１６３は、バー部材１５に吊り下げられる。
【００２３】
内壁材フック部材１６３は、内壁材１６の背面側に設けられる。内壁材フック部材１６３は、裏打ち材１６２の背面から水平に所定長さ延び、所定長さ延びた位置において下方に屈曲して延出する。複数の内壁材フック部材１６３は、上下方向に離間して複数配置されると共に、水平方向に離間して複数配置される。
【００２４】
内壁材１６をフレーム体１２に取り付ける際には、内壁材フック部材１６３をバー部材１５の内壁材側取付孔１５１ａに挿入した後に、内壁材１６を下方に移動させることで、内壁材フック部材１６３は、バー部材１５の内壁材側取付孔１５１ａの下側の管の厚み部分に引っ掛かる。これにより、内壁材１６は、バー部材１５に吊り下げられる。
【００２５】
内壁材１６をフレーム体１２から取り外す際には、内壁材１６を上方に移動させた後に、内壁材フック部材１６３を内壁材側取付孔１５１ａから引き抜くことで、内壁材フック部材１６３を内壁材側取付孔１５１ａの下側の管の厚み部分から取り外す。
【００２６】
内壁材１６の裏打ち材１６２の下端部には、下端部側から上側に窪む位置決め凹部（内壁材規制部）１６４が形成されている。位置決め凹部１６４は、床材１１における内壁材用位置決め突起（内壁材規制部）１１１に係止可能である。位置決め凹部１６４が内壁材用位置決め突起１１１に係止されることで、内壁材１６の下端部が、縦フレーム１２１に近づく方向及び縦フレーム１２１から離れる方向へ移動することが規制される。
【００２７】
内壁材側モール１７は、内壁材１６と天井材１３との間を埋めるように配置される。内壁材側モール１７は、フレーム体１２の内側において、内壁材１６と天井材１３との間に嵌合している。内壁材側モール１７は、縦フレーム１２１の内面に沿って、フレーム体１２の周方向の全域に亘って配置されている。内壁材側モール１７は、意匠性を向上させる目的で取り付けられる部材であり、例えば、樹脂部材で形成される。
【００２８】
外壁材１８は、フレーム体１２の外側に取り付けられる。外壁材１８は、板状に形成され、上下方向に延びる。外壁材１８の上端部は、浴室ユニット１に隣接する部屋３０の天井材３１の下方側において、隣接する部屋３０の天井材３１から離間して配置される。浴室ユニット１に隣接する部屋３０の天井材３１は、例えば、浴室ユニット１と反対側の端部において、接続板材３２２を介して、ネジ部材３２１により、家の構造物に取り付けられている（固定されている）。外壁材１８は、浴室ユニット１に隣接する部屋３０の内壁を構成する。見方を変えると、浴室ユニット１に隣接する部屋３０の内壁は、外壁材１８により構成され、浴室ユニット１の外壁とみなすこともできる。外壁材１８は、バー部材１５に着脱可能に取り付けられることにより、フレーム体１２に対して着脱可能である。
【００２９】
外壁材１８は、外壁材１８の表面を構成するパネル材１８１と、パネル材１８１が貼り付けられる裏打ち材１８２と、を有する。また、外壁材１８は、フック状の複数の外壁材フック部材１８３を有する。最も上方の外壁材フック部材１８３は、外壁材１８の上端部に設けられる。外壁材フック部材１８３は、バー部材１５に吊り下げられる。
【００３０】
外壁材フック部材１８３は、外壁材１８の背面側に設けられる。外壁材フック部材１８３は、裏打ち材１８２の背面から水平に所定長さ延び、所定長さ延びた位置において下方に屈曲して延出する。複数の外壁材フック部材１８３は、上下方向に離間して複数配置されると共に、水平方向に離間して複数配置される。
【００３１】
外壁材１８をフレーム体１２に取り付ける際には、外壁材フック部材１８３をバー部材１５の外壁材側取付孔１５１ｂに挿入した後に、外壁材１８を下方に移動させることで、外壁材フック部材１８３は、バー部材１５の外壁材側取付孔１５１ｂの下側の管の厚み部分に引っ掛かる。これにより、外壁材１８は、バー部材１５に吊り下げられる。このようにして、外壁材１８は、バー部材１５に取り付けられることで、フレーム体１２に取り付けられる。
【００３２】
外壁材１８をフレーム体１２から取り外す際には、外壁材１８を上方に移動させた後に、外壁材フック部材１８３を外壁材側取付孔１５１ｂから引き抜くことで、外壁材フック部材１８３を外壁材側取付孔１５１ｂの下方側の管の厚み部分から取り外す。
【００３３】
外壁材１８の裏打ち材１８２の下端部には、端部側から窪む位置決め凹部（外壁材規制部）１８４が形成されている。位置決め凹部１８４は、床材１１における外壁材用位置決め突起（外壁材規制部）１１２に係止可能である。位置決め凹部１８４が外壁材用位置決め突起１１２に係止されることで、外壁材１８の下端部が、縦フレーム１２１に近づく方向及び縦フレーム１２１から離れる方向へ移動することが規制される。
【００３４】
外壁材側モール１９は、外壁材１８と浴室ユニット１に隣接する部屋３０の天井材３１との間を埋めるように配置される。外壁材側モール１９は、フレーム体１２の外側において、外壁材１８と隣接する部屋３０の天井材３１との間に嵌合している。外壁材側モール１９は、浴室ユニット１に隣接する部屋３０の周方向の全域に亘って配置されている。外壁材側モール１９は、意匠性を向上させる目的で取り付けられる部材であり、例えば、樹脂部材で形成される。
【００３５】
次に、内壁材１６及び外壁材１８をフレーム体１２に取り付ける方法について説明する。図３及び図４は、第１実施形態に係る浴室ユニット１において、内壁材１６を取り付ける方法を説明する図である。図５は、第１実施形態に係る浴室ユニット１において、外壁材１８を取り付ける方法を説明する図である。
【００３６】
フレーム体１２に内壁材１６を取り付ける場合には、図３に示すように、天井材１３と内壁材１６との間に所定の隙間が形成されるように、フレーム体１２に内壁材１６を取り付ける。例えば、浴室ユニット１の一の側面において、バー部材１５の内壁材側取付孔１５１ａに、内壁材１６の内壁材フック部材１６３を引っ掛けて、内壁材１６を下方に移動させて、フレーム体１２に内壁材１６を吊り下げる。最も上方の内壁材フック部材１６３が内壁材１６の上端部に設けられるため、内壁材１６は、上端部において、安定して固定される。そして、図４に示すように、浴室ユニット１の４方向の全ての側面において、同様に、フレーム体１２に内壁材１６を吊り下げる。この際、内壁材１６の下端部において、位置決め凹部１６４を内壁材用位置決め突起１１１に係止させる。フレーム体１２に内壁材１６を取り付けることにより、浴室ユニット１の内壁が形成される。
【００３７】
続けて、図４に示すように、内壁材１６の上端部から上方側に離間させて、天井材１３を取り付ける。天井材１３は、接続板材１４２及びネジ部材１４１により、４本の縦フレーム１２１の内側の側面に取り付けられる（固定される）。これにより、浴室ユニット１の天井が形成される。その後、内壁材１６と天井材１３との間に内壁材側モール１７を嵌め込む。内壁材側モール１７は、内壁材１６の上端部が内壁材フック部材１６３で安定して固定されるため、内壁材１６の上端部に安定して支えられ、内壁材１６と天井材１３との間で安定的に固定される。
【００３８】
フレーム体１２に外壁材１８を取り付ける場合には、図５に示すように、浴室ユニット１に隣接する部屋３０の天井材３１と外壁材１８との間に所定の隙間が形成されるように、フレーム体１２に外壁材１８を取り付ける。例えば、浴室ユニット１の一の側面において、バー部材１５の外壁材側取付孔１５１ｂに、外壁材１８の外壁材フック部材１８３を引っ掛けて、外壁材１８を下方に移動させて、フレーム体１２に外壁材１８を吊り下げる。最も上方の外壁材フック部材１８３が外壁材１８の上端部に設けられるため、外壁材１８は、上端部において、安定して固定される。この際、外壁材１８の下端部において、位置決め凹部１８４を外壁材用位置決め突起１１２に係止させる。フレーム体１２に外壁材１８を取り付けることにより、浴室ユニット１の外壁が形成されると共に、浴室ユニット１に隣接する部屋３０の内壁が形成される。その後、外壁材１８と浴室ユニット１に隣接する部屋３０の天井材３１との間に外壁材側モール１９を嵌め込む。外壁材側モール１９は、外壁材１８の上端部が外壁材フック部材１８３で安定して固定されるため、外壁材１８の上端部に安定して支えられ、外壁材１８と天井材３１との間で安定的に固定される。
【００３９】
次に、内壁材１６及び外壁材１８をフレーム体１２から取り外す方法について説明する。図６は、第１実施形態に係る浴室ユニット１において、内壁材１６を取り外す方法を説明する図である。図７は、第１実施形態に係る浴室ユニット１において、外壁材１８を取り外す方法を説明する図である。
【００４０】
フレーム体１２から内壁材１６を取り外す場合には、図６に示すように、まず、内壁材１６と天井材１３との間に配置された内壁材側モール１７を取り外す。ここで、内壁材１６の上端部は、天井材１３から離間している。そのため、内壁材１６の上方側には、内壁材１６を上方側へ移動させるための空間が確保される。そして、内壁材１６と天井材１３との間の空間を利用して、内壁材１６を上方へ移動させながら、内壁材側取付孔１５１ａから内壁材フック部材１６３を抜き出すことで、フレーム体１２から内壁材１６を取り外す。よって、内壁材１６を上方側に移動できるため、フレーム体１２から内壁材１６を取り外す作業が容易である。
【００４１】
フレーム体１２から外壁材１８を取り外す場合には、図７に示すように、まず、外壁材１８と浴室ユニット１に隣接する部屋３０の天井材３１との間に配置された外壁材側モール１９を取り外す。ここで、外壁材１８の上端部は、天井材１３から離間している。そのため、外壁材１８の上方側には、外壁材１８を上方側へ移動させるための空間が確保される。そして、外壁材１８と天井材３１との間の空間を利用して、外壁材１８を上方へ移動させながら、外壁材側取付孔１５１ｂから外壁材フック部材１８３を抜き出すことで、フレーム体１２から外壁材１８を取り外す。よって、外壁材１８を上方側に移動できるため、フレーム体１２から外壁材１８を取り外す作業が容易である。
【００４２】
以上説明した本実施形態の浴室ユニット１によれば、以下のような効果を奏する。
内壁材１６の上端部を、天井材１３から離間して配置した。これにより、天井材１３を外さずに内壁材１６を上方に移動できるので、内壁材１６の移動の自由度が高く、かつ、内壁材１６の取り付け及び取り外しを簡単に行うことができる。よって、内壁材１６の取り付け及び取り外しの作業性を向上させられる。
【００４３】
内壁材１６と天井材１３との間を埋めるように配置される内壁材側モール１７を備える。そのため、内壁材１６と天井材１３との間において、意匠性が向上させられる。
【００４４】
内壁材１６は、その背面側に、フレーム体１２に吊り下げられる内壁材フック部材１６３を有する。そのため、内壁材フック部材１６３をフレーム体１２に吊り下げるだけで、内壁材１６をフレーム体１２に取り付けることができる。よって、内壁材１６をフレーム体１２に取り付ける作業性が向上させられる。
【００４５】
最も上方の内壁材フック部材１６３が内壁材１６の上端部に設けられる。そのため、内壁材１６は、上端部において、安定して固定される。内壁材側モール１７は、内壁材１６の上端部が内壁材フック部材１６３で安定して固定されるため、内壁材１６の上端部に安定して支えられ、内壁材１６と天井材１３との間で安定的に固定できる。
【００４６】
外壁材１８は、その背面側に、フレーム体１２に吊り下げられる外壁材フック部材１８３を有する。そのため、外壁材フック部材１８３をフレーム体１２に吊り下げるだけで、外壁材１８をフレーム体１２に取り付けることができる。よって、外壁材１８をフレーム体１２に取り付ける作業性が向上させられる。
【００４７】
内壁材１６の下端部が縦フレーム１２１に近づく方向及び縦フレーム１２１から離れる方向へ移動することを規制する内壁材用位置決め突起１１１及び位置決め凹部１６４を備える。これにより、内壁材１６をフレーム体１２へ取り付ける際に、簡単に、内壁材１６の下端部を位置決めできる。
【００４８】
次に、本発明の第２実施形態に係る浴室ユニット１Ａについて説明する。図８は、本発明の第２実施形態に係る浴室ユニット１Ａを示す側面図である。第２実施形態に係る浴室ユニット１Ａは、第１実施形態に係る浴室ユニット１と比べて、内壁材１６Ａの取り付け構造が主に異なる。第２実施形態の説明にあたって、第１実施形態の構成と同一の構成については同一符号を付し、その説明を省略もしくは簡略化する。
【００４９】
第２実施形態の浴室ユニット１Ａは、下端部に引っ掛け板材４３が設けられた内壁材１６Ａと、縦フレーム１２１と天井材１３とを固定すると共に内壁材１６Ａの上端を着脱可能に固定する接続板材４１と、縦フレーム１２１の下端に固定されると共に引っ掛け板材４３に引っ掛けられる突出板材４２と、を備える。
【００５０】
突出板材４２は、縦フレーム１２１の内側の面の下端に設けられる。突出板材４２は、板材により形成され、第１垂直板部４２１と、底板部４２２と、第２垂直板部４２３と、を備える。第１垂直板部４２１は、縦フレーム１２１の下端側において、縦フレーム１２１の下端よりも上方側から、縦フレーム１２１の内側の面に沿って、下方に向けて下端まで延びる。底板部４２２は、第１垂直板部４２１の下方側の端部から、縦フレーム１２１から離れる方向に、床材１１の上面に沿って所定長さ延びる。第２垂直板部４２３は、底板部４２２の縦フレーム１２１と反対側の端部から上方に向けて所定長さ延びる。第２垂直板部４２３は、床材１１から突出するように配置されている。
突出板材４２は、第１垂直板部４２１において、ネジ部材４４５により、縦フレーム１２１に固定されている。
【００５１】
引っ掛け板材４３は、内壁材１６の背面の下端に設けられる。引っ掛け板材４３は、板材により形成され、内壁材１６の下端側の背面において、内壁材１６の背面に当接する取付部分４３１と、取付部分４３１よりも下側に配置され内壁材１６の背面から離間して内壁材１６に対して平行に延びる平行部分４３３と、取付部分４３１と平行部分４３３を繋ぐ接続部分４３２と、を有する。
平行部分４３３は、引っ掛け板材４３を突出板材４２に引っ掛けるために、下方に向けて開口するように、内壁材１６との間に隙間を有している。引っ掛け板材４３の隙間に突出板材４２を係止させることで、内壁材１６の下端部の位置が位置決めされる。
引っ掛け板材４３は、取付部分４３１において、ネジ部材４４６により、内壁材１６の背面に固定される。
【００５２】
接続板材４１は、板材により形成され、上側水平板部４１１と、中間垂直板部４１２と、中間水平板部４１３と、下側垂直板部４１４と、を備える。上側水平板部４１１は、天井材１３の下面の水平方向の端部側において、縦フレーム１２１から離れた位置から、天井材１３の下面に沿って、縦フレーム１２１に近づくように水平に所定長さ延びる。中間垂直板部４１２は、上側水平板部４１１の縦フレーム１２１側の端部から、縦フレーム１２１の内側の面に沿って、下方に向けて所定長さ延びる。中間水平板部４１３は、中間水平板部４１３の下側の端部から、縦フレーム１２１から離れる方向に水平に所定長さ延びる。下側垂直板部４１４は、中間水平板部４１３の縦フレーム１２１と反対側の端部から下方に所定長さ延びる。
【００５３】
接続板材４１は、上側水平板部４１１において、ネジ部材４４１により固定される。接続板材４１は、中間垂直板部４１２において、ネジ部材４４２，４４３により固定される。下側垂直板部４１４と内壁材１６Ａとは、内壁材１６Ａに設けられた引っ掛け板材４３が、突出板材４２に引っ掛けられて後に、内壁材１６Ａの上端が接続板材４１の下側垂直板部４１４に当接した状態で、着脱用ネジ部材４４４により、着脱可能に取り付けられる。
【００５４】
以上のように構成される第２実施形態においては、突出板材４２及び引っ掛け板材４３は、内壁材１６の下端部が縦フレーム１２１に近づく方向及び縦フレーム１２１から離れる方向へ移動することを規制する内壁材規制部として機能する。よって、内壁材１６Ａをフレーム体１２へ取り付ける際に、簡単に、内壁材１６Ａの下端部を位置決めできる。
【００５５】
次に、本発明の第３実施形態に係る浴室ユニット１Ｂについて説明する。図９は、本発明の第３実施形態に係る浴室ユニット１Ｂを示す側面図である。第３実施形態に係る浴室ユニット１Ｂは、第１実施形態に係る浴室ユニット１と比べて、内壁材１６Ｂの構造が異なる。第３実施形態の説明にあたって、第１実施形態の構成と同一の構成については同一符号を付し、その説明を省略もしくは簡略化する。
【００５６】
第３実施形態の内壁材１６Ｂは、第１実施形態の内壁材１６のタイル材１６１及び裏打ち材１６２に加えて、配管通過部材５０を更に有する。配管通過部材５０は、第１実施形態の内壁材１６において、裏打ち材１６２の背面に取り付けられる。内壁材フック部材１６３は、配管通過部材５０の背面に設けられる。
【００５７】
配管通過部材５０は、上下方向に延びる筒状に形成される。配管通過部材５０の内部には、配管６０を配置することができる。本実施形態においては、配管６０は、タイル材１６１及び裏打ち材１６２を水平方向に貫通して、配管通過部材５０まで延び、配管通過部材５０の内部で屈曲して下方に延びる。
【００５８】
以上のように構成される第３実施形態においては、浴室ユニット１における配管６０を設けるスペースを内壁材１６Ｂの内部に設けることができる。よって、配管６０を設けるためのスペースを別途設けるよりも、スペースを有効的に活用できる。
【００５９】
次に、本発明の第４実施形態に係る浴室ユニット１Ｃについて説明する。図１０は、本発明の第４実施形態に係る浴室ユニット１Ｃを示す側面図である。第４実施形態に係る浴室ユニット１Ｃは、第１実施形態に係る浴室ユニット１と比べて、リフティング部材７０を更に備える点が、第１実施形態に係る浴室ユニット１と異なる。第４実施形態の説明にあたって、第１実施形態の構成と同一の構成については同一符号を付し、その説明を省略もしくは簡略化する。
【００６０】
リフティング部材７０は、浴室ユニット１の完成体やフレーム体１２を、リフティング用のクレーンなどにより吊り下げて運ぶ際に用いられる。リフティング部材７０は、縦フレーム１２１の内部を上下方向に貫通するような棒状に形成される。リフティング部材７０の上端部には、引っ掛け部７０１が形成されている。引っ掛け部７０１は、リフティング用のクレーンなどにより吊り下げられるように、リング状に形成される。リフティング部材７０の上端側及び下端側は、リフティング部材７０がフレーム体１２に取り付けられる際には、上側ナット７０２及び下側ナット７０３により、縦フレーム１２１に固定される。
【００６１】
以上のように構成される第４実施形態においては、リフティング部材７０を浴室ユニット１に取り付けることで、引っ掛け部７０１をリフティング用のクレーンなどのフック（図示せず）に引っ掛けて吊り下げて、浴室ユニット１を持ち上げることができる。これにより、浴室ユニット１の移動が容易となる。
【００６２】
以上、本発明の浴室ユニットの好ましい一実施形態について説明したが、本発明は、上述した実施形態に制限されるものではなく、適宜変更が可能である。
例えば、前記第１実施形態では、内壁材１６又は外壁材１８を、複数のバー部材１５に対して吊り下げるように構成したが、これに限らない。縦フレーム１２１に開口を設けることで、内壁材１６又は外壁材１８を、縦フレーム１２１の開口に吊り下げるように構成してもよい。
【００６３】
また、前記第１実施形態においては、内壁材１６又は外壁材１８を、縦フレーム１２１に対して吊り下げるように構成したが、これに限られない。例えば、内壁材１６又は外壁材１８を、縦フレーム１２１に嵌合させるように構成してもよい。
【００６４】
また、前記実施形態においては、内壁材用位置決め突起１１１や外壁材用位置決め突起１１２を、その部分が突出するような突起として構成したが、これに限らない。突起に代えて、突出する部分が水平方向に延びる突出溝のように構成してもよい。
【００６５】
また、前記第１実施形態においては、内壁材１６又は外壁材１８を、複数のバー部材１５に対して内壁材フック部材１６３又は外壁材フック部材１８３で吊り下げるように構成したが、これに限らない。内壁材１６又は外壁材１８を、フレーム体１２に直接取り付けてもよい。
【符号の説明】
【００６６】
１，１Ａ，１Ｂ，１Ｃ  浴室ユニット
１１  床材
１２  フレーム体
１３  天井材
１６，１６Ａ，１６Ｂ，１６Ｃ  内壁材
１７  内壁材側モール（内壁材隙間埋め部材）
１８  外壁材
４２  突出板材（内壁材規制部）
４３  引っ掛け板材（内壁材規制部）
１１１  内壁材用位置決め突起（内壁材規制部）
１２１  縦フレーム（フレーム部材）
１６３  内壁材フック部材（内壁材吊り下げ部材）
１６４  位置決め凹部（内壁材規制部）
１８３  外壁材フック部材（外壁材吊り下げ部材）
【図１】
2016089519.tif 000003
【図２】
2016089519.tif 000004
【図３】
2016089519.tif 000005
【図４】
2016089519.tif 000006
【図５】
2016089519.tif 000007
【図６】
2016089519.tif 000008
【図７】
2016089519.tif 000009
【図８】
2016089519.tif 000010
【図９】
2016089519.tif 000011
【図１０】
2016089519.tif 000012